(57)【要約】【課題】  記述内容把握が簡単でないために繰り返し読む必要のある文書を閲覧する場合、文書表示を視覚的に見やすくし、文書の内容把握を助ける。【解決手段】文書表示装置は、強調表示すべき字種を登録した強調字種登録テーブルと、文書データの文字列のうち、上記強調字種登録テーブルに登録された字種の文字を強調表示した強調表示文を表示する表示手段と、上記表示手段に表示された強調表示文を、上記強調字種登録テーブルに登録された字種毎に切り替える切替手段と、を有する。【選択図】図１
2006301296.tif 000002
【特許請求の範囲】
【請求項１】
強調表示すべき字種を登録した強調字種登録テーブルと、
文書データの文字列のうち、上記強調字種登録テーブルに登録された字種の文字を強調表示した強調表示文を表示する表示手段と、
上記表示手段に表示された強調表示文を、上記強調字種登録テーブルに登録された字種毎に切り替える切替手段と、を有する文書表示装置。
【請求項２】
請求項１記載の文書表示装置において、上記強調字種登録テーブルには各々少なくとも１つの字種を含む複数のグループが登録され、上記表示手段は、上記複数のグループのうちの１つのグループに含まれる字種の文字を強調表示した強調表示文を表示することを特徴とする文書表示装置。
【請求項３】
請求項２記載の文書表示装置において、上記切替手段は、上記表示手段に表示された強調表示文を、上記複数のグループの順番に切り替えて表示することを特徴とする文書表示装置。
【請求項４】
請求項１記載の文書表示装置において、上記表示手段は、文書データの文字列のうち、指定された範囲についてのみ、強調表示した強調表示文を表示することを特徴とする文書表示装置。
【請求項５】
請求項１記載の文書表示装置において、強調表示する方法を登録した強調方式登録テーブルが設けられ、
上記表示手段は、文書データの文字列のうち、上記強調字種登録テーブルに登録された字種の文字を上記強調方式登録テーブルに登録された強調表示方法によって強調表示した強調表示文を表示することを特徴とする文書表示装置。
【請求項６】
強調字種登録テーブルに登録された字種を読み出すことと、
文書データの文字列のうち、上記読み出した字種の文字を強調表示した強調表示文を表示手段に表示することと、
上記強調表示文を、上記強調字種登録テーブルに登録された字種毎に切り替えることと、を有する文書表示方法。
【請求項７】
請求項６記載の文書表示方法において、文書データの文字列のうち、指定された範囲についてのみ、強調表示した強調表示文を表示手段に表示することを特徴とする文書表示方法。
【請求項８】
請求項６記載の文書表示方法において、
強調方式登録テーブルに登録された強調表示方法を読み出すことと、
上記読み出した強調表示方法によって強調表示した強調表示文を表示することを特徴とする文書表示方法。
【請求項９】
請求項６から８のいずれか１項記載の文書表示方法をコンピュータに実行させるためのコンピュータに読み取り可能なプログラム。
【請求項１０】
強調表示すべき字種を登録した強調字種登録テーブルと、
強調表示する方法を登録した強調方式登録テーブルと、
テキストデータの文字コードから該テキストデータに含まれる文字の字種を識別する字種識別手段と、
上記字種識別手段によって識別された字種のうち上記強調字種登録テーブルに登録された字種の文字を抽出する強調文字抽出手段と、
上記強調文字抽出手段によって抽出された文字を上記強調方式登録テーブルに登録された強調表示方法によって強調表示した強調表示文を画面に表示する表示手段と、
ユーザー入力に基づいて、上記表示手段に表示された強調表示文を、上記強調字種登録テーブルに登録された字種毎に切り替える切替手段と、
を有する文書表示装置。
【請求項１１】
請求項１０記載の文書表示装置において、上記強調字種登録テーブルには、各々少なくとも１つの字種を含む複数のグループが登録され、上記切替手段は、上記複数のグループのうちの１つのグループに含まれる少なくとも１つの字種の文字を強調表示した強調表示文を上記複数のグループの順番に切り替えて上記表示手段に表示することを特徴とする文書表示装置。
【発明の詳細な説明】
【技術分野】
【０００１】
本発明は、文書中の文字のうち、漢字、カタカナ、ひらがな、英字、数字、記号等の特定の字種を強調表示する文書表示装置及び方法に関する。
【背景技術】
【０００２】
文書中の文字のうち、漢字、カタカナ、ひらがな、英字、数字、記号等の特定の字種を強調表示する文書表示装置が知られている。図３に従来の文書表示装置の例を示す。文書表示装置300は、装置全体を統括する文書表示装置制御部301、閲覧する電子文書を格納記憶する電子文書記憶部302、電子文書の文字を認識し抽出する文字認識部303、抽出した文字を文字コードを含むテキストデータに変換するテキストデータ変換部304、文字コードを含むテキストデータを記憶するテキストデータ記憶部305、漢字、カタカナ、ひらがな、英字、数字、記号等の字種を識別する字種識別部306、及び、字種識別部の処理結果に基づき、対応する字種情報を付加した表示を行うように表示制御する表示制御部307を有する。
【０００３】
文書表示装置制御部301は、情報の表示と操作を画面上で行うGUI（Graphical User Interface）機能を有し、ディスプレイ等の表示装置とキーボード、マウス等の入力装置を含む。
【０００４】
特開昭６３−１４６１８７号公報には、文書作成時の文字入力の誤りを発見しやすいように、文字列中の字種識別を行い、文字種毎に異なる種類の下線を付加して表示する文字識別装置が記載されている。例えば、漢字には二重実線の下線、英数字には点線の下線、ひらがな及びカタカナには実線の下線を付加する。
【０００５】
特開平１１−２５００４０号公報には、特開昭６３−１４６１８７号公報の文字識別装置技術を改良した技術が記載されている。この公報に記載された技術では、字種が変化したとき、その境界部分を他とは異なる文字間隔となるように変更する。
【０００６】
更に、特開平７−６５００５号公報には、文書内容を要約し文書の速読を支援する文書速読支援表示装置が記載されている。この公報に記載された技術では、文書の文構造を解析し、文書中の特定部分を識別して他の部分と区別して表示する。
【０００７】
【特許文献１】特開昭６３−１４６１８７号公報
【特許文献２】特開平１１−２５００４０号公報
【特許文献３】特開平７−６５００５号公報
【発明の開示】
【発明が解決しようとする課題】
【０００８】
一度通読しただけでは理解しにくい文章の場合、繰り返し読み返しながら熟読、精読して全体の内容を把握する必要のある。特開昭６３−１４６１８７号公報及び特開平１１−２５００４０号公報に記載された例は、文書作成時の文字入力誤りを容易に発見することを目的としており、特開平７−６５００５号公報の例は、文書内容を要約し文書を速読することを支援することを目的としている。いずれも、理解しにくい文章を繰り返し読み返すのに適していない。
【０００９】
本発明の目的は、一度通読しただけでは理解しにくい文章を繰り返し読み返す場合に、効率よく、内容理解を深めることができる文書表示装置を提供することにある。
【課題を解決するための手段】
【００１０】
本発明によると文書表示装置は、強調表示すべき字種を登録した強調字種登録テーブルと、文書データの文字列のうち、上記強調字種登録テーブルに登録された字種の文字を強調表示した強調表示文を表示する表示手段と、上記表示手段に表示された強調表示文を、上記強調字種登録テーブルに登録された字種毎に切り替える切替手段と、を有する。
【００１１】
上記強調字種登録テーブルには、各々少なくとも１つの字種を含む複数のグループが登録され、上記表示手段は、上記複数のグループのうちの１つのグループに含まれる少なくとも１つの字種の文字を強調表示した強調表示文を表示手段表示する。
【００１２】
上記切替手段は、上記表示手段に表示された強調表示文を、上記複数のグループの順番に切り替えて表示する。上記表示手段は、文書データの文字列のうち、指定された範囲についてのみ、強調表示した強調表示文を表示する。
【００１３】
本発明によると、強調表示する方法を登録した強調方式登録テーブルが設けられ、上記表示手段は、文書データの文字列のうち、上記強調字種登録テーブルに登録された字種の文字を上記強調方式登録テーブルに登録された強調表示方法によって強調表示した強調表示文を表示する。
【発明の効果】
【００１４】
本発明によると、注目する特定の字種を自動的に強調表示するので、必要部分に視線を集中することができるため、読み手にとって視覚的により見易くなり、他の文字列と容易に区別することができるので、表示文書の内容把握の効率を向上することができる。
【００１５】
本発明によると、文書表示装置で電子文書を閲覧する利用者に対して、内容把握を助ける簡易的方法を提供できるので、文書表示装置利用における利便性を向上支援することができる。
【発明を実施するための最良の形態】
【００１６】
図１は、本発明による文書表示装置100の概略的な機能構成を示す。本例の文書表示装置100は、文書表示装置制御部101、電子文書記憶部102、文字認識部103、テキストデータ変換部104、テキストデータ記憶部105、字種識別部106、表示部107、入力部108、及び、強調字種表示制御部200を有する。
【００１７】
文書表示装置制御部101は、文書表示装置全体を制御する。電子文書記憶部102は、利用者が閲覧するための電子文書を記憶する。文字認識部103は、電子文書の文字列の認識を行う。テキストデータ変換部104は、文字認識部103によって認識した文字列をテキストデータへ変換する。テキストデータは、JISコードまたはUnicode等の文字コードを含む。
【００１８】
テキストデータ記憶部105は、テキストデータ変換部104によって変換されたテキストデータを記憶する。
【００１９】
字種識別部106は、テキストデータ記憶部105にあるテキストデータを読み出してテキストデータに含まれる各文字の字種を識別する。文字の字種として、ひらがな、カタカナ、数字、英字、漢字、記号等を識別する。表示部107はディスプレイ等の表示装置を含み、情報の表示と操作を画面上で行うGUI（Graphical User Interface）機能を有する。入力部108は、キーボード、マウス等の入力装置を含む。
【００２０】
強調字種表示制御部200は、予め強調字種として登録済みの漢字、カタカナ等、注目する特定の字種を表示文中で自動的に強調表示する。
【００２１】
繰り返し読み返しながら全体の内容を把握する必要のある文書において、一度目を通した後に再び読返す時に、読む速度を速めようとしても読みにくい場合がある。このような時、キーワードを発見するまでの前作業や文意を詳細に把握する試みの段階において、漢字、カタカナ等の注目する字種を強調表示することで、ひらがな等の部分に注意を惹かれにくくなり、読む速度が速まり内容を読み取り易くなる場合がある。
【００２２】
また、同様にカタカナ語や数字を、単独または組み合わせで太字表示にする等の強調表示してキーワードになりそうな語句を追う場合もある。強調表示した特定の字種に注目して読み返すことにより、効率よく内容把握を早めることができる場合がある。そのような場合に、本発明の文書表示装置100 では、強調字種表示制御部200によって、特定の字種を表示文中で自動的に強調表示するから、効率よく内容把握を早めることができる。文書表示装置100は、電子文書表示機能を有するコンピュータ、携帯情報ツール（PAD）、携帯電話等、文字表示手段を持つ全ての装置、システムに適用できる。
【００２３】
図２は、強調字種表示制御部200の内部構成を示す。強調字種表示制御部200は、制御部201、強調字種登録部 202、文字強調方式登録部203、強調字種登録文字抽出部204、 強調字種表示範囲設定部205、表示切替部206、表示制御部207、及び、強調字種及び文字強調方式記憶部208を有する。制御部201は、強調字種表示制御部200の各構成部を統轄するとともに、文書表示装置100の関連構成部との間で情報交換を行い、本発明による強調字種表示制御を円滑に機能させる役割を果たす。
【００２４】
図４は、強調字種及び文字強調方式記憶部208に登録された字種候補リストの例を示す。字種候補リストは、漢字、カタカナ、数字、英字、ひらがな、記号、その他である。
【００２５】
図５は、強調字種及び文字強調方式記憶部208に登録された強調字種登録テーブルの例を示す。登録グループ１は漢字の登録を示す。また、登録グループ２はカタカナ、登録グループ３は数字、登録グループ４は漢字とカタカナと数字という異なる字種の組み合わせ、登録グループ５は英字、登録グループ６はひらがな、登録グループ７はその他であり、７グループが登録されていることを示している。
【００２６】
また、各登録グループ毎に登録の有効/無効をON/OFF設定欄で設定できることを示している。設定ONでは登録有効であり強調表示可能である。設定OFFでは登録無効であり強調表示できないことを示す。
【００２７】
図６は、強調字種及び文字強調方式記憶部208に登録された文字強調方式候補リストの例を示す。文字強調方式候補は、太字、文字色（赤）、文字サイズ大、下線付加であることを示す。
【００２８】
図７は、強調字種及び文字強調方式記憶部208に登録された文字強調方式登録テーブルを示す。図６の文字強調方式の候補リストから強調表示したい字種の文字強調方式として候補番号１の“太字”を選択されて登録されたことを示す。尚、複数の文字強調方式を選択してもよい。
【００２９】
強調字種登録部202は、オペレータの入力指示に従って、図４の字種候補リストから所定の字種を選択して、図５の強調字種登録テーブルに登録する。強調字種登録テーブルには、１種類の字種ばかりでなく、複数の字種を組み合わせて登録することができる。更に、強調字種登録テーブルの登録字種を追加、削除、変更することもできる。
【００３０】
文字強調方式登録部203は、オペレータの入力指示に従って、図６の文字強調方式候補リストから所定の文字強調方式を選択して、図７の文字強調方式登録テーブルに登録する。図７の例では、簡単のために、文字強調方式の候補リストから１つ文字強調方式を選択しているが、複数の文字強調方式を選択し、各字種毎、グループ毎、別々に文字強調方式を指定してもよい。例えば、「太字と下線と斜体字」を選択し、漢字は太字、数字は下線、英字は斜字体で強調表示することができる。
【００３１】
本例によると、強調字種登録部202は、オペレータの指示により、強調字種登録テーブルの登録字種を追加、削除、変更し、文字強調方式登録部203は、オペレータの入力指示に従って、文字強調方式を変更することもできるから、利用者が読みやすいように電子文書を強調表示することができる。
【００３２】
図９及び図１０は、本発明の文書表示装置100の表示部107に表示された強調字種表示の例を示す。図９(a)は、電子文書の原文をそのまま表示した例、図９(b)は、原文中の漢字記述部分を強調表示した例、図９(c)は、原文中のカタカナ記述部分を強調表示した例、図10(a)は、原文中の数字記述部分を強調表示した例、図10(b)は、原文中の漢字、カタカナ、数字記述部分を強調表示した例、図10(C)は、原文中の所定の強調字種表示範囲の漢字、カタカナ、数字記述部分を強調表示した例、である。本例では、原文中の＜太陽光のエネルギーは、「地球に到達するエネルギー(energy)の1時間分だけで、全人類が1年間に消費するエネルギー量に匹敵する」ほど無限にあり、地域偏在性の少ない再生可能なエネルギーです。＞が強調字種表示範囲として設定された。
【００３３】
なお、例文は、http://www.sharp.co.jp/sunvista/about/index.html  太陽光発電の基礎知識より引用した。
【００３４】
強調字種表示範囲設定部205の動作を説明する。強調字種表示範囲設定部205は、オペレータの入力指示に従って、電子文書より強調字種表示範囲を設定する。初期値としては文書全範囲が設定される。オペレータが強調字種表示範囲を選択しない場合も、文書全範囲が設定される。表示制御部207は、強調字種表示範囲設定部205に設定された強調字種表示範囲を画面に表示する。
【００３５】
図１１を参照して表示切替部206の動作を説明する。ここでは、図５に示す強調字種登録テーブルに従って、強調表示の表示切替が順次行なわれる例を示す。図５の強調字種登録テーブルでは、登録グループ１から登録グループ４までがON設定となっているので、オペレータが表示切替操作を行うごとに、原文表示も含めて、登録グループ１から登録グループ４まで強調表示の表示切替が順次行なわれることを示している。
【００３６】
Ｓ１１Ａでは、図９（ａ）に示すように、原文表示が行われ、Ｓ１１Ｂでは、図９（ｂ）に示すように登録グループ１の漢字強調表示が行われ、Ｓ１１Ｃでは、図９（ｃ）に示すように登録グループ２のカタカナ強調表示が行われ、Ｓ１１Ｄでは、図10(a)に示すように登録グループ３の数字強調表示が行われ、Ｓ１１Ｅでは、図10(b)に示すように登録グループ４の漢字＋カタカナ＋数字強調表示が行われる。簡単のために、この例では、登録グループ番号に対して昇順に表示切替を行うが、逆に降順に表示切替を行ってもよい。
【００３７】
図８に、本発明の文書表示装置100によって、電子文書を強調字種表示処理を行う場合の概略的手順のフローチャートを示す。尚、本手順を開始する前までに、又は、強調表示に進む前までに、オペレータの指示に基づいて、強調字種登録部202が図５の強調字種登録テーブルに所定の字種登録を行っており、文字強調方式登録部203が図７の文字強調方式登録テーブルに所定の文字強調方式を登録しており、強調字種表示範囲設定部205が所定の強調字種表示範囲を設定しているものとする。
【００３８】
ステップS0から手順を開始する。ステップS1にて、文書表示装置制御部101は、電子文書記憶部102に記憶されている電子文書からオペレータが選択した電子文書を読み出し、ステップS2にて、読み出した文書を表示部107に表示する。
【００３９】
ステップS3にて、文書表示装置制御部101は、強調字種及び文字強調方式記憶部208から図５に示した強調字種登録テーブルを読み出し、少なくとも１つの字種の強調表示が有効になっているかチェックする。図５に示したように、強調字種登録テーブルの少なくとも１つの字種登録がON設定となっている場合には、その字種の強調表示を有効に設定したことになる。少なくとも１つの字種の強調表示が有効となっている場合には、ステップS4に進む。
【００４０】
図５の強調字種登録テーブルにおいて、全ての字種登録がOFF設定の時は、強調表示を無効に設定している場合である。この場合は、ステップS3からステップS14に進む。文書表示装置制御部101は、ステップS14でオペレータが表示中の電子文書について表示終了を指示しているかチェックする。
【００４１】
YESの場合は、ステップS15に進み、電子文書表示を終了する。この後、ステップS16に進み処理を終了する。オペレータが電子文書表示終了を指示していない場合は、ステップS3に戻る。
【００４２】
ステップS4にて、文字認識部103は電子文書の文字を認識し、テキストデータ変換部304は、認識した文字列をテキストデータに変換し、それをテキストデータ記憶部105に記憶する。ステップS5にて、文書表示装置制御部101は、オペレータから表示中の電子文書について表示終了指示がないかチェックする。電子文書表示終了指示があった場合はステップS15に進む。電子文書表示を終了し、この後、ステップS16に進み処理を終了する。オペレータから電子文書表示終了指示がない場合はステップS6に進む。
【００４３】
ステップS6にて、強調字種表示制御部200の表示切替部206は、オペレータから強調表示の切替指示の有無についてチェックする。強調表示の切替指示がなければ、再びステップS5に戻る。強調表示の切替指示があれば、ステップS7に進む。
【００４４】
ステップS7にて、表示切替部206は、オペレータからの指示が、原文表示であるかチェックする。Yesの場合は、ステップS13に進む。ステップS13にて、表示切替部206は、テキストデータ記憶部105に保存されているテキストデータを読み出し、ステップS12にて、表示制御部207は、図９（ａ）に示したように、画面に原文を表示する。ステップS7でNoの場合は、ステップS8に進む。
【００４５】
ステップS8にて、制御部201は、強調字種及び文字強調方式記憶部208に登録されている図７の文字強調方式登録テーブルから設定値を読み込む。本実施例では、文字強調方式の設定値は、“太字”である。
【００４６】
次にステップS9に進み、制御部201は、強調字種及び文字強調方式記憶部208に登録されている図５の強調字種登録テーブルから設定がＯＮとなっている登録グループ番号を読み込む。本実施例では、図１１に示すように、登録グループ１の漢字が最初の強調表示の順番である。簡単のために、実施例では、表示切替を登録グループ番号に対して昇順とするので、次回このステップに来たとき強調表示の順番は、次の登録グループ２になる。以降、表示切替があると表示順番は繰り上がる。登録グループ４の後は、表示順番は原文表示に戻る。
【００４７】
次にステップS10に進む。ここでは、強調字種表示範囲設定部205が設定した強調表示選択範囲に従って、テキストデータを読み込む。強調表示選択範囲は、オペレータによって選択され、設定されたものである。初期値としては文書全範囲が設定される。
【００４８】
次にステップS11に進む。字種識別部106はテキストデータの文字を順に、字種識別し、強調字種登録文字抽出部204は、字種識別部106によって識別された字種のうち、ステップS9にて読み出された登録グループの字種のみを抽出し、それをステップS8にて読み出された強調方式によって強調表示する。
【００４９】
次にステップS12に進み、表示制御部207は、ステップS11で作成した強調字種表示用データを表示する。この時の表示例は、図9（b）の漢字強調表示である。その後は、ステップS5に戻り、上述の処理を繰り返す。
【００５０】
本発明によると、図８に示した電子文書の強調字種表示処理をコンピュータに実行させることができる。本発明によると、電子文書の強調字種表示処理をコンピュータに実行させるためのプログラム及びそのようなプログラムを格納した記録媒体が提供される。
【００５１】
以上、本発明の例を説明したが、本発明は上述の例に限定されるものではなく、特許請求の範囲に記載された発明の範囲にて様々な変更が可能であることは当業者に理解されよう。
【図面の簡単な説明】
【００５２】
【図１】本発明の強調字種表示制御部を有する文書表示装置の構成図である。
【図２】本発明の強調字種表示制御部の構成図である。
【図３】従来技術の文書表示装置の構成図である。
【図４】本発明の強調字種の候補リストの実施例を示す図である。
【図５】本発明の強調字種登録テーブルの実施例を示す図である。
【図６】本発明の文字強調方式の候補リストの実施例を示す図である。
【図７】本発明の文字強調方式登録テーブルの実施例を示す図である。
【図８】本発明の強調字種表示制御処理フロー図である。
【図９】本発明の強調字種表示制御の各種表示実施例を示す図である。
【図１０】本発明の強調字種表示制御の各種表示実施例を示す図である。
【図１１】本発明の強調字種表示制御で表示切替時の表示順の実施例を示す図である。
【符号の説明】
【００５３】
100…文書表示装置、101…文書表示装置制御部、102…電子文書記憶部、103…文字認識部、104…テキ…ストデータ変換部、105…テキストデータ記憶部、106…字種識別部、107…表示部、108…入力部、200…強調字種表示制御部、201…制御部、202…強調字種登録部、203文字強調方式登録部、204…強調字種登録文字抽出部、205…強調字種表示範囲設定部、206…表示切替部、207表示制御部、208…強調字種及び文字強調方式記憶部
【図１】
2006301296.tif 000003
【図２】
2006301296.tif 000004
【図３】
2006301296.tif 000005
【図４】
2006301296.tif 000006
【図５】
2006301296.tif 000007
【図６】
2006301296.tif 000008
【図７】
2006301296.tif 000009
【図８】
2006301296.tif 000010
【図９】
2006301296.tif 000011
【図１０】
2006301296.tif 000012
【図１１】
2006301296.tif 000013